(57)【要約】【課題】楽器本体に加工を施すことなく、鍵盤蓋を着脱自在に取り付けることができる鍵盤蓋の取付け装置を提供する。【解決手段】譜面立て７を取り付けるための譜面立て取付け孔２ａを有する鍵盤楽器１の楽器本体２に、鍵盤蓋５を回動自在に取り付けるための鍵盤蓋の取付け装置１０であって、譜面立て取付け孔２ａに着脱自在に係合する係合部１１と、係合部１１に回動自在に連結されるとともに、鍵盤蓋５の一端部に固定された連結部１２と、を備えている。【選択図】  図４
2005010582.tif 000002
【特許請求の範囲】
【請求項１】
譜面立てを取り付けるための譜面立て取付け孔を有する鍵盤楽器の楽器本体に、鍵盤蓋を回動自在に取り付けるための鍵盤蓋の取付け装置であって、
前記譜面立て取付け孔に着脱自在に係合する係合部と、
当該係合部に回動自在に連結されるとともに、前記鍵盤蓋の一端部に固定された連結部と、を備えていることを特徴とする鍵盤蓋の取付け装置。
【請求項２】
前記係合部および前記連結部の一方から前方に延び、開いた状態の前記鍵盤蓋に立て掛けた譜面を支持するための譜面支持部をさらに備えていることを特徴とする請求項１に記載の鍵盤蓋の取付け装置。
【請求項３】
前記譜面支持部は、前記係合部および前記連結部の前記一方に回動自在に設けられていることを特徴とする請求項２に記載の鍵盤蓋の取付け装置。
【発明の詳細な説明】
【０００１】
【発明の属する技術分野】
本発明は、鍵盤楽器の楽器本体に、鍵盤楽器を開閉するための鍵盤蓋を取り付けるための鍵盤蓋の取付け装置に関する。
【０００２】
【従来の技術】
従来、電子ピアノなどにおいて、譜面立てを取り付けるための譜面立て取付け孔を、ピアノ本体の鍵盤よりも奥側の位置に形成したものが知られている。また、鍵盤蓋を有する電子キーボードとして、例えば、特許文献１に開示されたものが知られている。
【０００３】
この電子キーボードは、キーボード本体と、これを開閉する鍵盤蓋本体と、両者を連結する左右一対の蓋アームなどを備えている。各蓋アームは、その一端部が鍵盤蓋本体と一体になっており、他端部がキーボード本体に形成された溝に挿入されている。また、蓋アームの他端部には、２つの溝が形成されていて、一方の溝が、キーボード本体内の水平軸に対して着脱自在に係合しており、鍵盤蓋本体が、水平軸を中心として回動自在になっている。また、他方の溝は、キーボード本体内のストッパに対して着脱自在に係合しており、鍵盤蓋本体を閉じる際には、一方の溝に係合した水平軸を中心として回動し、鍵盤蓋本体が完全に閉じる直前で、他方の溝の段部がストッパに当接する。それにより、鍵盤蓋本体の回動が一旦、停止し、その後、ストッパが他方の溝内に移動して係合することで、鍵盤蓋本体が完全な閉状態になる。
【０００４】
以上のような構成によれば、例えば演奏中に鍵盤蓋本体を誤って倒したとしても、鍵盤蓋が、閉状態となる直前で一旦、停止することにより、指が挟まれて怪我をするのを回避することができる。また、蓋アームの２つの溝を、水平軸およびストッパからそれぞれ外し、蓋アームをキーボード本体の溝から外すことにより、鍵盤蓋本体をキーボード本体から取り外すことができる。
【０００５】
【特許文献１】
実開平５−３０８９１号公報  （第２頁、第１、２図）
【０００６】
【発明が解決しようとする課題】
しかし、この従来の電子キーボードには、以下のような問題がある。すなわち、鍵盤蓋本体を着脱自在に取り付けるために、キーボード本体に溝や水平軸を設けるとともに、蓋アームに２つの溝などを形成しなければならないなど、構成が複雑で、その分、製造コストが増大してしまう。また、鍵盤蓋本体を取り外すには、蓋アームの２つの溝を、水平軸およびストッパからそれぞれ外さなければならない。これらは、キーボード本体内に設けられていて、目で見て直接、確認できないので、取外し作業に手間がかかるとともに、これをスムーズに行うことができないおそれがある。また、上述したように、溝や水平軸などは、鍵盤蓋本体を着脱自在に取り付けるための専用の構成であるので、例えば譜面立てなど、他のオプション品を簡単に取り付けることができず、取り付けるためには、そのための加工をキーボード本体に施したり、専用の部材を用いたりする必要があるため、さらに製造コストが増大してしまう。
【０００７】
本発明は、このような課題を解決するためになされたものであり、楽器本体に加工を施すことなく、鍵盤蓋を着脱自在に取り付けることができる鍵盤蓋の取付け装置を提供することを目的としている。
【０００８】
【課題を解決するための手段】
この目的を達成するために、本発明の請求項１に係る発明は、譜面立てを取り付けるための譜面立て取付け孔を有する鍵盤楽器の楽器本体に、鍵盤蓋を回動自在に取り付けるための鍵盤蓋の取付け装置であって、譜面立て取付け孔に着脱自在に係合する係合部と、係合部に回動自在に連結されるとともに、鍵盤蓋の一端部に固定された連結部と、を備えていることを特徴とする。
【０００９】
この鍵盤蓋の取付け装置は、係合部と、これに回動自在に連結された連結部を備えており、楽器本体の譜面立て取付け孔に係合部を係合させ、連結部に鍵盤蓋の一端部を固定することによって、鍵盤蓋が楽器本体に取り付けられる。このように、本発明の鍵盤蓋の取付け装置は、楽器本体にあらかじめ形成されている譜面立て取付け孔を利用して取り付けられている。したがって、鍵盤蓋を取り付ける際に、楽器本体に取り付けのための加工を施したり、専用の部材を用いたりする必要がないので、鍵盤蓋の取付けに伴う製造コストの増大を、最小限に留めることができる。また、取付け装置の係合部を、譜面立て取付け孔に対して単純に取り付けまたは取り外すだけで、鍵盤蓋を非常に容易に着脱することができる。
そのため、本来の譜面立てを楽器本体に取り付ける際に、それらを容易に交換することができる。
【００１０】
請求項２に係る発明は、請求項１に記載の鍵盤蓋の取付け装置において、係合部および連結部の一方から前方に延び、開いた状態の鍵盤蓋に立て掛けた譜面を支持するための譜面支持部をさらに有していることを特徴とする。
【００１１】
この鍵盤蓋の取付け装置によれば、鍵盤蓋が開いた状態において、鍵盤蓋に立て掛けた譜面を、譜面支持部によって支持することができる。すなわち、鍵盤蓋を開くだけで、取付け装置を譜面立てとしても使用できるので、鍵盤蓋取付け装置と譜面立てを交換する手間を省くことができる。
【００１２】
請求項３に係る発明は、請求項２に記載の鍵盤蓋の取付け装置において、譜面支持部は、係合部および連結部の一方に回動自在に設けられていることを特徴とする。
【００１３】
この鍵盤蓋の取付け装置によれば、譜面支持部もまた、回動自在に設けられていることにより、譜面支持部を鍵盤蓋に対して回動させ、折りたたむことができる。それにより、譜面を使用しないときには、譜面支持部を折りたたむことにより、楽器本体の上面を、すっきりとした状態に保つことができる。
【００１４】
【発明の実施形態】
以下、図面を参照しながら、本発明の実施形態を詳細に説明する。図１は、本発明を適用した鍵盤蓋の取付け装置１０を含む電子ピアノ１（鍵盤楽器）を、鍵盤蓋の閉状態において示している。この電子ピアノ１は、左右一対の腕木３、３を有するピアノ本体２（楽器本体）と、ピアノ本体２を開閉する鍵盤蓋５と、鍵盤蓋５をピアノ本体２に取り付けるための鍵盤蓋の取付け装置（以下、単に「取付け装置」という）１０を備えている。各腕木３の外側面の中央部には、凹部３ａ（一方のみ図示）が形成されており、この凹部３ａには、電源スイッチなどのスイッチ類４（一方のみ図示）が設けられている。
【００１５】
図７に示すように、ピアノ本体２は、演奏者側（前側）に設けられた鍵盤６と、鍵盤６よりも奥側の左右一対の譜面立て取付け孔２ａ、２ａを有している。両譜面立て取付け孔２ａ、２ａは、譜面立て７を取り付けるためにあらかじめ形成されているものであり、ピアノ本体２の中央に所定の間隔を隔てて配置されている。取付け装置１０は、このような２つの譜面立て取付け孔２ａ、２ａを利用して取り付けられている。
【００１６】
取付け装置１０は、例えば金属から成る取付け具で構成されており、図２に示すように、係合部１１と、これに連結された連結部１２および譜面支持部１４を一体に有している。係合部１１は、左右方向に延びる平板状の取付け板１１ａと、この取付け板１１ａから下方に延びる一対の係合ピン１１ｂ、１１ｂによって構成されており、両係合ピン１１ｂ、１１ｂの間隔は、上述した両譜面立て取付け孔２ａ、２ａの間隔と等しく設定されている。図４に示すように、この係合ピン１１ｂが、譜面立て取付け孔２ａに挿入され、係合することにより、取付け板１１ａが、ピアノ本体２の上面に載置された状態で、取付け装置１０がピアノ本体２に取り付けられている。
【００１７】
連結部１２は、支軸２０を介して係合部１１に回動自在に連結されており、左右方向に係合部１１とほぼ同じ長さで延びるとともに、断面がほぼコ字状に形成され、前方に開放している。鍵盤蓋５は、その後端部の中央が連結部１２に差し込まれた状態で、例えば図示しないねじによって固定されている。鍵盤蓋５は、例えばアクリル樹脂などの合成樹脂によって構成されており、鍵盤６全体を上方から覆うように、左右方向に延びている。また、鍵盤蓋５の前端部には、鍵盤蓋５が閉じた状態で下方に屈折する当接部５ａが形成されており、鍵盤蓋５を閉じた状態において、この当接部５ａの下端がピアノ本体２の上面前端部に当接することにより、鍵盤蓋５とピアノ本体２の間に間隙Ｇが形成されている。
【００１８】
譜面支持部１４もまた、支軸２０を介して係合部１１に回動自在に連結されている。この譜面支持部１４は、平板状で、係合部１１から前方に延び、ピアノ本体２の上面に載置されており、鍵盤蓋５が閉じた状態では、上述した鍵盤蓋５とピアノ本体２の間の間隙Ｇ内に、鍵盤蓋５と干渉しないように収容されている。
また、その左右方向の長さは、係合部１１とほぼ同じになっている。また、譜面支持部１４の上面の前部には、例えば４つのすべり止め１４ａが一体に形成されており、これらは、左右方向に延び、断面の形状がほぼ三角形で、前後方向に並んでいる。
【００１９】
取付け装置１０の係合部１１、連結部１２および譜面支持部１４は、例えば左右２つの前記支軸２０、２０によって互いに回動自在に連結されている。図３は、この支軸２０の一方を後方から示しており、支軸２０は、中軸２１、左軸２２および右軸２３によって構成されていて、これらは、互いに同じ長さおよび径を有するとともに、左右方向に同軸状に配置されている。また、中軸２１は係合部１１の前端部に、左軸２２は連結部１２の後端部に、右軸２３は譜面支持部１４の後端部に、それぞれ一体に形成されている。
【００２０】
中軸２１には、その軸線に沿って軸孔２１ａが貫通している。また、左軸２２から右方に嵌合ピン２２ａが、右軸２３から左方に嵌合ピン２３ａが、それぞれ突出しており、これらの嵌合ピン２２ａ、２３ａが中軸２１の軸孔２１ａにそれぞれ左右から回動自在に嵌合している。これにより、中軸２１、左軸２２および右軸２３は、互いに同軸状かつ回動自在になっている。それにより、これらとそれぞれ一体の係合部１１、連結部１２および譜面支持部１３は、中軸２１、左軸２２および右軸２３を介して、互いに回動自在に連結されている。
【００２１】
上述した取付け装置１０によってピアノ本体２に取り付けられた鍵盤蓋５は、次のようにして開閉される。図４に示すように、鍵盤蓋５が閉状態にあるときには、その前端部の当接部５ａがピアノ本体２に当接しており、鍵盤蓋５は、鍵盤６を上方から覆った状態にある。また、譜面支持部１４は、ピアノ本体２と鍵盤蓋５の間に間隙Ｇ内に収容されていることにより、鍵盤蓋５は、譜面支持部１４と干渉することなく閉じられている。この閉状態から、鍵盤蓋５を当接部５ａを介して上方に持ち上げることにより、鍵盤蓋５は、連結部１２とともに支軸２０を中心として上方に回動する。そして、ある程度、回動したところで、図５に示すように、連結部１２が係合部１１に当接することにより回動が停止する。それにより、ピアノ本体２の鍵盤６が露出し、演奏可能な開状態になる。
【００２２】
また、この開状態において譜面Ｓを使用する場合には、譜面Ｓは、鍵盤蓋５に立て掛けられるとともに譜面支持部１４によって支持される。その際には、例えば押鍵によって電子ピアノ１が振動し、立て掛けられた譜面Ｓが倒れそうになっても、すべり止め１４ａによって譜面Ｓの前方への滑りが阻止されるので、譜面Ｓは、鍵盤蓋５に立て掛けられた状態で安定して支持される。また、譜面Ｓを使用しない場合には、図６に示すように、譜面支持部１４を、鍵盤蓋５と同様に支軸２０を中心として上方に回動させることにより、鍵盤蓋５に対して折りたたんでおくことも可能である。
【００２３】
以上のように、本実施形態の取付け装置１０は、ピアノ本体２にあらかじめ形成されている譜面立て取付け孔２ａを利用して取り付けられている。したがって、鍵盤蓋５を取り付ける際に、ピアノ本体２に取付けのための加工を施したり、専用の部材を用いたりする必要がないので、鍵盤蓋５の取付けに伴う製造コストの増大を、最小限に留めることができる。また、取付け装置１０の係合部１１を、譜面立て取付け孔２ａに対して単純に取り付けまたは取り外すだけで、鍵盤蓋５を非常に容易に着脱することができる。そのため、本来の譜面立て７をピアノ本体２に取り付ける際に、それらを容易に交換することができる。
【００２４】
また、鍵盤蓋５が開いた状態において、鍵盤蓋５に立て掛けた譜面Ｓを、譜面支持部１４によって支持することができる。すなわち、鍵盤蓋５を開くだけで、鍵盤蓋取付け装置１０を譜面立てとしても使用できるので、鍵盤蓋の取付け装置１０と譜面立て７を交換する手間を省くことができる。
【００２５】
さらに、譜面支持部１４もまた、回動自在に設けられていることにより、鍵盤蓋５に対して回動させ、折りたたむことができる。それにより、譜面Ｓを使用しないときには、譜面支持部１４を折りたたむことにより、ピアノ本体２の上面を、すっきりとした状態に保つことができる。
【００２６】
なお、本発明は、説明した上記実施形態に限定されることなく、種々の態様で実施することができる。例えば、実施形態では、譜面支持部１４を回動自在に設けているが、これを係合部１１に固定してもよい。また、譜面支持部１４を省略し、取付け装置１０をより単純な構成とすることにより、製造コストの増大を、さらに低減できるようにしてもよい。また、実施形態では、譜面支持部１４を、係合部１１および連結部１２に対して回動自在に設けているが、連結部１２のみに対して回動自在に設けてもよい。その他、細部の構成を、本発明の趣旨の範囲内で適宜、変更することが可能である。
【００２７】
【発明の効果】
以上のように、本発明の鍵盤楽器は、楽器本体に加工を施すことなく、鍵盤蓋を着脱自在に取り付けることができるなどの効果を有する。
【図面の簡単な説明】
【図１】本発明による鍵盤蓋の取付け装置を含む電子ピアノを、鍵盤蓋の閉状態において示す斜視図である。
【図２】図１の取付け装置を後方から示す斜視図である。
【図３】取付け装置の支軸を後方から示す部分拡大図である。
【図４】図１の電子ピアノにおいて、鍵盤蓋の閉状態を示す側面図である。
【図５】図１の電子ピアノにおいて、鍵盤蓋の開状態を示す側面図である。
【図６】図１の電子ピアノにおいて、鍵盤蓋を開くとともに譜面支持部を折りたたんだ状態を示す側面図である。
【図７】電子ピアノおよび譜面立てを示す斜視図である。
【符号の説明】
１    電子ピアノ（鍵盤楽器）
２    ピアノ本体（楽器本体）
２ａ  譜面立て取付け孔
５    鍵盤蓋
７    譜面立て
１０    取付け装置
１１    係合部
１２    連結部
１４    譜面支持部
【図１】
2005010582.tif 000003
【図２】
2005010582.tif 000004
【図３】
2005010582.tif 000005
【図４】
2005010582.tif 000006
【図５】
2005010582.tif 000007
【図６】
2005010582.tif 000008
【図７】
2005010582.tif 000009